(57)【特許請求の範囲】
【請求項１】
少なくとも標本と対物レンズのいずれか一方を光軸方向に移動させるとともに、これら標本と対物レンズの間隔を規制するストッパーを設けた顕微鏡において、
前記ストッパーは、前記標本または対物レンズ側に対するストッパー位置の緩め量を回転量で調整する回転体を有するとともに、該回転体に対し前記回転量を教示する回転量教示部を設けたことを特徴とする顕微鏡。
【請求項２】
前記回転量教示部は、目盛であることを特徴とする請求項１記載の顕微鏡、
【請求項３】
前記回転量教示部は、等間隔に複数形成された突起であることを特徴とする請求項１記載の顕微鏡。
【発明の詳細な説明】
【０００１】
【発明の属する技術分野】
本発明は、標本と対物レンズの間隔を規制するストッパーを設けた顕微鏡に関するものである。
【０００２】
【従来の技術】
顕微鏡による標本観察において、ステージ上に載置された標本を交換するような場合、標本の破損や対物レンズの破損を防止するため、ステージを任意の位置まで下げて、標本と対物レンズの間の距離を十分広げてから行うのが一般的である。
【０００３】
ところが、一度ステージを下げると、当然のことながら対物レンズのピント位置が狂ってしまい、再度ピント合わせを行う必要がある。
【０００４】
そこで、改めてピント合わせを行うが、このピント合わせの手順は、まず、（ａ）低倍（１０倍程度）の対物レンズを光路上に切換えて粗動ハンドルを使ってピント合わせを行い、次いで、（ｂ）微動ハンドルを使って精度のよいピント合わせを行う。さらに、（ｃ）高倍の対物レンズを光路上に切換えて、微動ハンドルを使って最終的なピント合わせを行う。
【０００５】
この場合、低倍の対物レンズのピント合わせで粗動ハンドルを回す量が精密に分かっていれば、その後の（ｂ）（ｃ）の作業を省略できる。
【０００６】
このため、従来の顕微鏡には、予め粗動ハンドルの動く量を規制できる、つまりステージを元の位置に精密に戻すことができるストッパーが設けられている。
【０００７】
このストッパーは、最初に上述した順序でピント合わせを行ったところでセットすると、その後、標本交換などで改めてピント合わせを行う際に、粗動ハンドルを使ってステージをストッパー位置まで移動させれば、（ｃ）のみの作業を行うだけでピント合わせができるようになっている。つまり、このストッパーは、粗動ハンドルに対してのみストッパー動作し、微動ハンドルに対してストッパー動作をしないようになっている。
【０００８】
しかし、このようなストッパーを設けたものは、構造が複雑で、部品点数が多くなり、価格的に高価なものになるという問題があった。
【０００９】
そこで、従来、図４に示すように、顕微鏡本体１のアーム部１ａの先端部にステージ２に対向させて対物レンズ３が配置され、焦準ハンドル７を操作して対物レンズ３をガイド５とともに光軸方向に移動させることで、ステージ２上の標本に対するピント合わせを可能にしたもので、ガイド５側にネジ６が設けられ、このネジ６の先端をアーム部１ａに突き当てることでストッパーとしての役目を与え、このネジ６のねじ込み量を変えることによりストッパーの位置調整を可能にしたものが考えられている。このような構成とすれば、構成が簡単で価格的にも安価にできる。
【００１０】
【発明が解決しようとする課題】
ところが、このような構成によると、ガイド４側のネジ６先端をアーム部１ａに突き当て、一度ストッパーを効かせると、その位置でガイド４の動きが規制されてしまうため以下のような不都合が生じる。
【００１１】
例えば、基準となる対物レンズでピント合わせを行い、ネジ６先端をアーム部１ａに突き当てストッパーを効かせてしまうと、その後、高倍の対物レンズに切換えて最終的なピント合わせを行おうとしても、最初のストッパー位置での規制によりピント合わせができない。また、ピントが合った後は、ネジ６をいじらない限りデフォーカスができないため、ピントの合焦精度の確認をすることもできない。
【００１２】
そこで、前もってネジ６先端がアーム部１ａに突き当る状態がピントの合った位置から少し緩めになるように調整しておくことが考えられているが、この緩め量をどのくらいに設定したらよいか分からないため、実際は、目視観察を行いながらネジ６のねじ込み量を調整し、ネジ６先端をアーム部１ａに突き当ててピントのボケ量を確認し、このボケ量が足りないときは、再度ネジ６のねじ込み量を調整し、ネジ６先端をアーム部１ａに突き当ててピントのボケ量を確認するという作業を繰り返さなければならず、このための作業が非常に煩わしいという問題が生じる。このことは、頻繁にステージ         ２上の標本を交換するような場合は、さらに作業が面倒になる。
【００１３】
本発明は上記事情に鑑みてなされたもので、ストッパーの緩め量を簡単に設定でき、しかも操作が簡単で、価格的にも安価な顕微鏡を提供することを目的とする。
【００１４】
【課題を解決するための手段】
請求項１記載の発明は、少なくとも標本と対物レンズのいずれか一方を光軸方向に移動させるとともに、これら標本と対物レンズの間隔を規制するストッパーを設けた顕微鏡において、前記ストッパーは、前記標本または対物レンズ側に対するストッパー位置の緩め量を回転量で調整する回転体を有するとともに、該回転体に対し前記回転量を教示する回転量教示部を設けたことを特徴としている。
【００１５】
請求項２記載の発明は、請求項１記載の発明において、前記回転量教示部は、目盛であることを特徴としている。
【００１６】
請求項３記載の発明は、請求項１記載の発明において、前記回転量教示部は、等間隔に複数形成された突起であることを特徴としている。
【００１７】
この結果、本発明によれば、ストッパーの回転体を回転量教示部にしたがって所定量だけ回転させるだけで、ストッパー位置での適正な緩め量を１回の操作で設定することができる。
【００１８】
【発明の実施の形態】
以下、本発明の実施の形態を図面に従い説明する。
【００１９】
（第１の実施の形態）
図１は本発明が適用される顕微鏡の概略構成を示す正面図である。図において、１１は顕微鏡フレームで、この顕微鏡フレーム１１は、水平方向のベース部１１ａと、このベース部１１ａに対し直立して形成された胴部１１ｂを有し、さらに胴部１１ｂの先端部に、ベース部１１ａに対し平行な対物アーム１１ｃを有している。
【００２０】
顕微鏡フレーム１１の胴部１１ｂの正面には、図２に示すようなガイド部１２が上下動可能に設けられている。このガイド部１２は、両側面にガイド溝１２ａを有し、これらガイド溝１２ａを図示しないレールに沿ってガイドされるとともに、顕微鏡フレーム１１側面に配置された粗動及び微動用の焦準ハンドル１５を回転操作することで図示しない焦準機構により上下方向、つまり光軸方向に移動できるようになっている。
【００２１】
また、ガイド部１２には、ステージ１３が水平方向に突出して設けられている。このステージ１３は、図示しない標本を載置するもので、操作摘み１４を有し、これら操作摘み１４を回転操作することで、標本をＸＹ方向に移動できるようになっている。
【００２２】
対物アーム１１ｃには、レボルバ１６が設けられている。このレボルバ１６には、図示しない複数の対物レンズが設けられ、レボルバ１６の回転操作により、これら対物レンズを選択的に光路上に切換えるようにしている。
【００２３】
対物アーム１１ｃの上方には、接眼鏡筒１７が設けられている。この接眼鏡筒１７は、接眼レンズ１８を有している。この接眼レンズ１８は、ステージ１３上の標本像を対物レンズを介して目視観察するものである。
【００２４】
顕微鏡フレーム１１の胴部１１ｂの正面側には、開口部１９が設けられ、この開口部１９内部にストッパー２０が収容されている。
【００２５】
ストッパー２０は、図２に示すように棒体２１の中間部に回転体として円板状のダイヤル２２が一体的に設けられている。棒体２１は、一方端部にネジ部２１ａが形成され、このネジ部２１ａを胴部１１ｂの図示しない固定部材にねじ込み、他方端部の突き当て面２１ｂをガイド部１２の端面に突き当てることで、ストッパー機能が与えられ、また、ダイヤル２２を回してネジ部２１ａのねじ込み量を調整可能にしている。この場合、ダイヤル２２周面には、回転量教示部として円周方向に沿って目盛２２ａが印刷され、また、開口部１９の側縁には、ダイヤル２２の目盛２２ａに対応して指標２３が付されており、指標２３に対する目盛２２ａからダイヤル２２の回転量を読み取れるようになっている。この場合、目盛２２ａは、ネジ部２１ａのピッチを考慮した間隔で印刷されている。
【００２６】
次に、このように構成した実施の形態の動作を説明する。
【００２７】
まず、レボルバ１６を回転操作して基準（１０倍程度）となる対物レンズを光路上に切換えピント合わせを行い、その位置でストッパー２０のダイヤル２２を回して棒体２１の突き当て面２１ｂをガイド部１２の端面に突き当てる。
【００２８】
そして、この状態から、目盛２２ａを見ながら所定の目盛分、つまり高倍の対物レンズを交換したときのピントのずれる分や合焦確認できる分を考慮した目盛分だけダイヤル２２を回転させ、ネジ部２１ａのねじ込み量を緩めて、ストッパー２０の突き当て面２１ｂとガイド部１２端面との間に僅かな隙間を緩み量として形成させる。この場合、ダイヤル２２の目盛２２ａにしたがった回転量は、ネジ部２１ａのピッチと合焦確認に必要なピント位置のずれ量など、使用状況に合わせて決定される。
【００２９】
このようにすると、ステージ１３上の標本を交換する場合、粗動用の焦準ハンドル１５を操作してステージ１３を所定の位置まで一旦下げ、その後、上方に移動させると、ガイド部１２の端面がストッパー２０の突き当て面２１ｂに突き当たる。このとき、ステージ１３は、本来のピント位置より、予め目盛２２ａに従って緩められた量だけさらに上方に移動する。
【００３０】
この状態では、ピントは合っていないが、標本像はぼけて見えるので、微動用の焦準ハンドル１５を操作してピント合わせを行う。さらに、レボルバ１６を操作して、高倍の対物レンズを光路上に切換えて、微動用の焦準ハンドル１５を操作して最終的なピント合わせを行う。
【００３１】
従って、このようにすれば、ストッパー２０のダイヤル２２を目盛２２ａにしたがって所定目盛分だけ回転させるだけで、適正な緩め量を設定でき、しかも、この緩め量を１回の操作で設定することができるので、操作も簡単で、しかもストッパーとしての構成も簡単なことから価格的にも安価にできる。
【００３２】
なお、ダイヤル２２に印刷される目盛２２ａに代えて数字やマークを使用することができる。また、開口部１９の側縁に、ダイヤル２２の目盛２２ａに対応して付される指標２３は、１本だけでなく複数本付してもよい。
【００３３】
（第２の実施の形態）
図３は、第２の実施の形態に用いられるストッパーの概略構成を示している。なお、このようなストッパーが適用される顕微鏡の概略構成は、図１と同様なので同図を援用する。
【００３４】
この場合、ストッパー３０は、棒体３１の中間部に円板状のダイヤル３２が設けられている。棒体３１は、一方端部にネジ部３１ａが形成され、このネジ部３１ａを胴部１１ｂの図示しない固定部材にねじ込み、他方端部の突き当て面３１ｂをガイド部１２の端面に突き当てることで、ストッパー機能が与えられ、また、ダイヤル３２を回してネジ部３１ａのねじ込み量を調整することによりストッパー位置を調整可能にしている。この場合、ダイヤル３２の周面には、円周方向に沿って等間隔で突起３２ａが形成されている。
【００３５】
従って、このようにすれば、突起３２ａを指先で触れながらダイヤル３２を回すことによりネジ部３１ａのねじ込み量を緩め、適正な緩め量を設定することができるので、わざわざ目盛を覗き込む必要がなくなり、接眼レンズから目を離さなくとも操作を行うことができるなど、さらに操作性を良好にできる。
【００３６】
なお、第１の実施の形態で述べた目盛２２ａと第２の実施の形態で述べた突起３２ａを一緒に適用できることは勿論である。また、上述した実施の形態では、上下動されるステージ１３に対してストッパー２０、３０を適用した例を述べたが、ステージ側が固定で対物レンズ側を上下動させるものにも適用することができる。
【００３７】
【発明の効果】
以上述べたように本発明によれば、ストッパーの緩め量を簡単に設定でき、しかも操作が簡単で、価格的にも安価な顕微鏡を提供できる。
【図面の簡単な説明】
【図１】本発明の第１の実施の形態の概略構成を示す図。
【図２】第１の実施の形態に用いられるストッパーを示す図。
【図３】本発明の第２の実施の形態に用いられるストッパーを示す図。
【図４】従来のストッパーを有する顕微鏡の一例を示す図。
【符号の説明】
１１…顕微鏡フレーム
１１ａ…ベース部
１１ｂ…胴部
１１ｃ…対物アーム
１２…ガイド部
１２ａ…ガイド溝
１３…ステージ
１４…操作摘み
１５…焦準ハンドル
１６…レボルバ
１７…接眼鏡筒
１８…接眼レンズ
１９…開口部
２０．３０…ストッパー
２１、３１…棒体
２１ａ、３１ａ…ネジ部
２１ｂ、３１ｂ…突き当て面
２２、３２…ダイヤル
２２ａ…目盛
２３…指標
３２ａ…突起
【図１】
0004674950.tif 000002
【図２】
0004674950.tif 000003
【図３】
0004674950.tif 000004
【図４】
0004674950.tif 000005